(57)【要約】
【課題】  クッション性または形状保持力が高く、使用者の体重に対する空間保持力が大きく、通気性および保温性に優れた敷きパッドの提供。
【解決手段】  敷きパッド１は、三層構造の通気性外皮２と保温性外皮３との間に、弾力中綿４を挟んで、外周を点線状に超音波融着したスポット融着点列１１で固着し、長手方向に一定の間隔で横長短冊状に点線で超音波融着したスポット融着点列１２で一体化している。通気性外皮２は、外側合成繊維織布２１と、内側合成繊維織布２２との間に、三次元スパイラル捲縮ポリプロピレン綿２３を挟み、点線状に超音波融着したスポット融着点列２４により菱形に囲んだクッション島２５を、所定の間隔で千鳥格子状に配列している。保温性外皮３は、外側合成繊維織布３１と、内側合成繊維織布３２との間に、ポリエステル綿からなる合成繊維綿３３を挟んで点線状に超音波融着されている。
【選択図】図１
0003101459.tif 000002
【実用新案登録請求の範囲】
【請求項１】
外側合成繊維織布と内側合成繊維織布との間に三次元スパイラル捲縮合成繊維綿を挟み、点線状に超音波融着したスポット融着点列で所定のパターンに固着した通気性外皮と、三次元スパイラル捲縮合成繊維綿からなる弾力中綿と、外側合成繊維織布と内側合成繊維織布との間に合成繊維綿を挟み、点線状に超音波融着したスポット融着点列で所定パターンに固着した保温性外皮とを積層し、外周を点線状に超音波融着したスポット融着点列で固着するとともに、所定の間隔で点線状に超音波融着したスポット融着点列で固着してなる敷きパッド。
【請求項２】
外側合成繊維織布と内側合成繊維織布との間に三次元スパイラル捲縮合成繊維綿を挟み、点線状に超音波融着したスポット融着点列で所定のパターンに固着した通気性外皮と、三次元スパイラル捲縮合成繊維綿からなる弾力中綿と、外側合成繊維織布と内側合成繊維織布との間に三次元スパイラル捲縮合成繊維綿を挟み、点線状に超音波融着したスポット融着点列で所定のパターンに固着した通気性外皮とを積層し、外周を点線状に超音波融着したスポット融着点列で固着するとともに、所定の間隔で点線状に超音波融着したスポット融着点列で固着してなる敷きパッド。
【請求項３】
請求項１または２に記載の敷きパッドにおいて、前記三次元スパイラル捲縮合成繊維綿は、コイル状のポリプロピレン糸を節結したポリプロピレン綿、または合成繊維と木綿との特殊混紡糸をマルチフィラメント糸またはナイロンモノフィラメント糸で連結したダブルラッシェル綿であり、前記外側合成繊維織布、前記内側合成繊維織布および前記合成繊維綿はポリエステル製であることを特徴とする敷きパッド。
【請求項４】
請求項１または２に記載の敷きパッドにおいて、前記所定のパターンは菱形、８角形などの多角形を千鳥格子状に配列してなることを特徴とする敷きパッド。
【請求項５】
請求項４に記載の敷きパッドにおいて、前記通気性外皮の前記外側合成繊維織布と前記内側合成繊維織布と前記三次元スパイラル捲縮合成繊維綿とを、全面において熱融着していることを特徴とする敷きパッド。
【考案の詳細な説明】
【技術分野】
【０００１】
この考案は、通気性および保温性に優れた敷きパッドに関する。
【背景技術】
【０００２】
寝心地の向上のため、夏における通気性と、冬における保温性に優れた敷きパッドが求められているが、双方の機能が大きく、かつ長期間に亘って機能が維持できる敷きパッドが求められている。
【０００３】
従来の敷きパッドは、クッション性または形状保持力が弱いため、十分な通気性または保温力を長期間に亘って維持できない欠点があった（特許文献なし）。
【考案の開示】
【考案が解決しようとする課題】
【０００４】
この考案の課題は、クッション性または形状保持力が高く、使用者の体重に対する空間保持力が大きく、通気性および保温性に優れた敷きパッドの提供にある。
【課題を解決するための手段】
【０００５】
請求項１に記載の敷きパッドは、外側合成繊維織布と内側合成繊維織布との間に三次元スパイラル捲縮合成繊維綿を挟み、点線状に超音波融着したスポット融着点列で所定のパターンに固着した通気性外皮と、三次元スパイラル捲縮合成繊維綿からなる弾力中綿と、外側合成繊維織布と内側合成繊維織布との間に合成繊維綿を挟み、点線状に超音波融着したスポット融着点列で所定パターンに固着した保温性外皮とを積層し、外周を点線状に超音波融着したスポット融着点列で固着するとともに、所定の間隔で点線状に超音波融着したスポット融着点列で固着してなる。この構成では、通気性外皮を上にした場合には通気性に優れ、保温性外皮を上にした場合には保温性に優れた敷きパッドが得られる。
【０００６】
請求項２に記載の敷きパッドは、外側合成繊維織布と内側合成繊維織布との間に三次元スパイラル捲縮合成繊維綿を挟み、点線状に超音波融着したスポット融着点列で所定のパターンに固着した通気性外皮と、三次元スパイラル捲縮合成繊維綿からなる弾力中綿と、外側合成繊維織布と内側合成繊維織布との間に三次元スパイラル捲縮合成繊維綿を挟み、点線状に超音波融着したスポット融着点列で所定のパターンに固着した通気性外皮とを積層し、外周を点線状に超音波融着したスポット融着点列で固着するとともに、所定の間隔で点線状に超音波融着したスポット融着点列で固着してなる。この構成では、通気性に優れた敷きパッドが得られる。
【０００７】
請求項３に記載の敷きパッドは、三次元スパイラル捲縮合成繊維綿はコイル状のポリプロピレン糸を節結したポリプロピレン綿、または合成繊維と木綿との特殊混紡糸をマルチフィラメント糸またはナイロンモノフィラメント糸で連結したダブルラッシェル綿であり、外側合成繊維織布、内側合成繊維織布および合成繊維綿はポリエステル製であることを特徴とする。この構成では、超音波融着性に優れ低コストに製造できる敷きパッドが得られる。
【０００８】
請求項４に記載の敷きパッドの所定のパターンは、菱形、８角形などの多角形を千鳥格子状に配列してなることを特徴とする。この構成では、蜂の巣型の立体ハニカム構造が得られ、弾力性に富み、優れた体圧分散性を有するとともに、点線状に超音波融着する作業が容易になる。
【０００９】
請求項５に記載の敷きパッドは、通気性外皮の外側合成繊維織布と内側合成繊維織布と三次元スパイラル捲縮合成繊維綿とを、全面において熱融着していることを特徴とする。このため、クッション性または形状保持力が一層向上できる。
【考案の効果】
【００１０】
この考案の敷きパッドは、蜂の巣型の立体ハニカム構造が得られるため、熱がこもらず放熱、放湿効果が大きいとともに、弾力性に富み、優れた体圧分散性が得られ、洗濯が簡単で清潔に使用できる。また、上記の特殊な立体構造が長期間に亘って維持でき、夏は水分と熱とを大気中に逃がし、涼しく快適な寝床を作り、冬には、下層に使用することにより、空気層が保温層となって床からの冷気を遮断し、暖かな寝床を提供する。
【考案を実施するための最良の形態】
【００１１】
この考案の最良の形態を実施例１および実施例２に基づいて説明する。
【実施例１】
【００１２】
図１は、この考案の実施例１にかかる敷きパッド１を示す。敷きパッド１は、いずれも長方形（幅１０５ｃｍから２１０ｃｍ、長さ１９０ｃｍから２１０ｃｍ）で三層構造の通気性外皮２（図示上側）と保温性外皮３（図示下側）との間に、三次元スパイラル捲縮合成繊維綿として三次元スパイラル捲縮ポリプロピレン綿からなる弾力中綿４を挟んだ構造を有する。通気性外皮２と保温性外皮３と弾力中綿４とは、外周を点線状に超音波融着したスポット融着点列１１で固着するとともに、長手方向に一定の間隔（この実施例では２２ｃｍ間隔）で、横長短冊状に点線で超音波融着したスポット融着点列１２で一体化されている。この実施例では、スポット融着点列１１は２列となっており、この２列のスポット融着点列１１により桟状の外周縁１３が形成されている。この外周縁１３には、カバー縁布１４が縫着されている。
【００１３】
図２、図３に示す如く、通気性外皮２は、ポリエステル繊維（この実施例ではポリエステルウーリー糸）の網状編組からなる外側合成繊維織布２１と、ポリエステル繊維の不織布からなる内側合成繊維織布２２との間に、厚さ４ｍｍの三次元スパイラル捲縮合成繊維綿として三次元スパイラル捲縮ポリプロピレン綿２３を挟み、一体化した構造を有する。外側合成繊維織布２１と内側合成繊維織布２２と三次元スパイラル捲縮ポリプロピレン綿２３とは、全面において熱融着されるとともに、点線状に超音波融着したスポット融着点列２４により菱形に囲んだクッション島２５を、所定の間隔で千鳥格子状に配列している。
【００１４】
この実施例では、クッション島２５は正方形に近く、一遍が４７ｍｍで、間隔は１３ｍｍとなっており、クッション島２５および隙間２６は、蜂の巣型の立体ハニカム構造を構成し、いずれも放熱性、放湿性、クッション性に富み、長期間に亘って強い弾性を維持できるクッションとなっている。クッション島２５は、デザイン上の観点から、正方形、多角形、その他の所望のパターンが選択でき、大きさ、間隔は、三次元スパイラル捲縮ポリプロピレン綿２３の弾力性および厚さから適宜に寸法が決定される。
【００１５】
保温性外皮３は、ポリエステル繊維（この実施例ではポリエステルウーリー糸）の網状編組からなる外側合成繊維織布３１と、ポリエステル繊維の不織布からなる内側合成繊維織布３２との間に、厚さ４ｍｍのポリエステル綿からなる合成繊維綿３３を挟んで一体化した構造を有する。外側合成繊維織布３１と内側合成繊維織布３２と合成繊維綿３３とは、全面において熱融着されるとともに、点線状に超音波融着したスポット融着点列３４で囲んだ菱形状の島３５を、所定の間隔で千鳥格子状に配列している。この実施例では、島３５は正方形に近い菱形で、一遍が４７ｍｍで、間隔は１３ｍｍとなっているが、デザイン上の観点から、正方形、多角形、その他のパターンであってもよい。
【００１６】
弾力中綿４は、図３に示す如く、ポリプロピレンをコイル状に成形した剛い繊維４１を、部分的に節結４２した構造を有し、嵩高であるとともに高い弾力性を有する。三次元スパイラル捲縮ポリプロピレン綿２３も同様な構成を有する。弾力中綿４は、スポット融着点列１１とスポット融着点列１２とで、短冊状に囲まれたクッションとなっており、クッション性に富み、強い弾性を有する。また、スポット融着点列１２は、この位置で敷きパッドを折り畳むことができ収容性が向上する作用もある。
【００１７】
この考案の敷きパッド１は、夏には通気性外皮２を上にして敷きパッド１を使用すると通気性に優れ、放熱、放湿効果が高いため、涼しい寝床が実現できる。また、冬には保温性外皮３を上にして使用すると通気性外皮２および弾力中綿４は空気の保持量が大きく、優れた保温性が得られるため、暖かな寝床が得られる。また、敷きパッド１を複数の敷き布団の最下層に使用することにより、さらに優れた保温性が実現する。
【実施例２】
【００１８】
図４は実施例２にかかる敷きパッド５の要部を示す。この実施例では、点線状に超音波融着したスポット融着点列５１で囲まれたクッション島５２は、８角形を千鳥格子状に配列したパターンとなっている。クッション島５２は、円、楕円、その他の所望の形状のパターンを選択できる。
【００１９】
［他の実施例］
この考案の敷きパッドは、請求項２に記載の如く、通気性外皮２、２の間に弾力中綿４を挟んだ構成であってもよい。この構成では、上下にかかわらず通気性に優れた敷きパッドが得られる。三次元スパイラル捲縮合成繊維綿は、合成繊維と木綿との特殊混紡糸をマルチフィラメント糸またはナイロンモノフィラメント糸で連結したダブル（ハニカム）ラッシェル綿であってもよく、この三次元スパイラル捲縮合成繊維綿でも、上記と同様の効果を有する。
【図面の簡単な説明】
【００２０】
【図１】敷きパッドの斜視図である（実施例１）。
【図２】敷きパッドの要部の断面図である（実施例１）。
【図３】敷きパッドの組付図である（実施例１）。
【図４】敷きパッドの要部の断面図である（実施例２）。
【符号の説明】
【００２１】
１    敷きパッド
２    通気性外皮
３    保温性外皮
４    弾力中綿
１１、１２、２４、３４、５１  スポット融着点列
２１、３１  外側合成繊維織布
２２、３２  内側合成繊維織布
２３  三次元スパイラル捲縮ポリプロピレン綿（三次元スパイラル捲縮合成繊維綿）
３３  合成繊維綿
【図１】
0003101459.tif 000003
【図２】
0003101459.tif 000004
【図３】
0003101459.tif 000005
【図４】
0003101459.tif 000006